(57)【特許請求の範囲】
【請求項１】
放送画像及び放送音声を含むディジタル・データを受信するチューナと、
電話音声を含む電話通信信号を受信する無線部と、
上記チューナが受信した上記ディジタル・データの放送画像を表示する表示部と、
上記放送音声または上記電話音声を出力する音声出力部と、
上記ディジタル・データを記録するデータストレージ部と、
上記チューナにより上記ディジタル・データを受信中に上記無線部が電話着信信号を受信すると、上記無線部による上記電話通信信号の受信を開始するとともに上記ディジタル・データの上記データストレージ部への記録を開始し、上記ディジタル・データの放送画像を上記表示部に表示するとともに上記電話通信信号の電話音声を上記音声出力部から出力するよう制御する制御部と、を備えたことを特徴とする携帯端末。
【請求項２】
上記電話通信信号は発信側より送信される発信側画像を含み、
上記電話通信信号を受信中に上記表示部に表示する画像は、上記ディジタル・データの上記放送画像及び上記発信側画像であることを特徴とする請求項１記載の携帯端末。
【請求項３】
上記制御部は、上記データストレージ部への上記ディジタル・データの記録を開始するとともに、該データストレージ部に記録した上記ディジタル・データに含まれる上記放送画像を再生して上記表示部に表示させることを特徴とする請求項１記載の携帯端末。
【請求項４】
上記制御部は、上記電話通信信号を受信中は、上記音声出力部から出力していた上記放送音声を上記電話音声に切換えることを特徴とする請求項１記載の携帯端末。
【請求項５】
上記制御部は、上記電話通信信号を受信中は、上記音声出力部から出力していた上記放送音声に加えて上記電話音声を上記音声出力部から出力することを特徴とする請求項１記載の携帯端末。
【請求項６】
上記制御部は、上記放送音声及び上記電話音声の音量を調整して上記音声出力部から出力することを特徴とする請求項５記載の携帯端末。
【発明の詳細な説明】
【０００１】
【発明の属する技術分野】
この発明はデジタルテレビ放送信号の受信と、テレビ電話やメール等無線信号の送受信の双方が可能な、携帯端末に関するものである。
【０００２】
【従来の技術】
携行先で送受話が可能な携帯電話機は急速に普及し、現在の携帯電話機は音楽やサービス元に蓄積された画像コンテンツを視聴できるのみならず、その端末に内蔵もしくは外付けのビデオカメラにより、リアルタイムな画像を見ながら音声の送受話が可能な、テレビ電話機能が付加された携帯電話機が提供されている。一方で、近年に本放送開始予定とされている地上波デジタルテレビ放送に関する技術開発が進められていて、地上波デジタルテレビ放送を受信する端末の開発も行われている。例えば、日経ＰＢ社編集の日経エレクトロニクスＮＯ．８１２のＰ５７に記載されているように、携帯電話機にて地上波デジタルテレビ放送の受信画像が表示可能であり、携帯電話機に地上波デジタルテレビ放送視聴機能の付加が可能となってきている。
【０００３】
このような背景の中、従来のテレビ放送の受信装置とテレビ電話装置とを組合わせたシステムとして、例えば図６に示す、特開２００１−８６４７５号公報に記載された装置がある。図において１はテレビ受信装置であり、２はテレビ電話装置であり、３はスキャンコンバータとビデオミキサとマルチウインドウコントローラと音声混合装置と音声レベル調整部からなる合成・切換処理等部であり、４はテレビ放送の受信音声画像の記録を制御する記録制御部であり、５はテレビ放送の受信音声画像を記録する記録装置であり、６はテレビ電話からの着信を検出する着信検出部であり、７は受信したテレビ電話もしくはテレビ放送の音声画像を表示する画像再生装置および音声再生装置と自己の音声・画像を取り込むマイクやカメラといった音声画像入出力部である。
【０００４】
次にその動作について説明する。
テレビ受信装置１は受信したテレビ放送信号から、１つまたは複数の特定の放送信号を選択すると共に復調しアナログの画像データと音声データを出力する。出力された画像データと音声データは合成・切換処理等部３に送られる。この時、複数の画像データは一画面に表示できるよう、合成・切換処理等部３内のスキャンコンバータとビデオミキサとマルチウインドウコントローラに処理され、また複数の音声は合成・切換処理等部３内の音声混合装置にて各音声が適度な音量に調整され、それぞれ、音声画像入出力部７に出力される。音声画像入出力部７では、入力された画像データを、画像再生装置（例えばＬＣＤ等）で表示したり、また音声データを音声再生装置（例えばスピーカ等）にて出力する。以上によりテレビ放送信号を視聴できる。
【０００５】
この時、通信回線よりテレビ電話または音声電話の着信を報せる着信信号が着信検出部６に伝送されると、記録制御部４にその旨を知らせ、現在視聴中のテレビ放送信号を記録するように、記録制御部が稼動し、音声画像記録装置５にテレビ放送信号の記録を開始する。
また上記の記録と同時に、テレビ電話および音声電話の着信があると、テレビ電話装置２により、その通信信号は画像データと音声データに分離され、合成・切換処理等部３に渡される。合成・切換処理等部３では、テレビ電話および音声電話（この場合は画像はなく、装置自己の持つ単一色画像、例えばブルー等）の音声画像を音声画像入出力７に渡すか、もしくは現在視聴していたテレビ放送の音声画像と画像の合成および音声の混合をして、音声画像入出力７に渡す。
【０００６】
【発明が解決しようとする課題】
従来のテレビ放送の受信装置とテレビ電話装置とを組合わせたシステムは以上のように構成されているので、テレビ放送信号の記録をアナログ信号で保存しなければならない。アナログの音声画像信号は、そのデータ量が大容量である為、大容量のデータストレージが必要となり、そのデータストレージの占める領域は大きくなる。装載する大きさ等に制限の生じる携帯端末においては、アナログのデータで長時間保存可能なデータストレージを装載しきれないという課題がある。
また、携帯端末に装載可能なデータストレージでは、アナログ信号で記録できる音声画像信号のデータ容量が少ない為、一般的なテレビ電話および音声通話の時間に相当するデータ容量を満足できず、通話中に中断した音声画像信号の全てを保存することが難しくて、必ずしも中断した全ての音声画像を見られるとは限らない。
【０００７】
この発明は上記のような課題を解消する為になされたもので、少ない容量でかつ小型のデータストレージで、通話中に中断されるテレビ放送を記録し、後に再生するテレビ放送視聴可能な携帯端末装置を得る。
【０００８】
【課題を解決するための手段】
この発明に係るディジタル録画再生機能付携帯端末は、テレビ受像用チューナを備えたテレビ受像と通話／データ伝送機能付携帯端末において、
チューナはディジタル・データを受像する形式とし、
録画指示時にはチューナ出力のデータを記録し、再生指示時にはこの記録した画像を再生出力するデータ・メモリと、
チューナ出力と、データ・メモリ出力と、通話／データ伝送入力とを選択して画像／音声信号に分離する多重分離部と、
チューナ出力の受像のみの実行時にはその受像を多重分離部に接続指示し、受像時に通話／データ伝送着信があると、チューナ出力をメモリに接続及び記録指示する制御部、とを備えた。
【０００９】
また更に、通話／データ伝送に対しては、多重分離部をバイパスする経路を備え、
制御部は、チューナ出力の受像時に通話／データ伝送着信があると、通話／データ伝送に対しては上記バイパスする経路を設定するようにした。
【００１０】
また更に、多重分離部を複数備え、画像入力を表示用に合成する合成部を備え、
複数の多重分離部を経由した画像を合成部に入力するようにした。
【００１１】
また更に、メモリは、書き込みタイミングと読み出しタイミングを交互に設けて書き込み／読み出し制御される半導体メモリとした。
【００１２】
【発明の実施の形態】
実施の形態１．
以下、図面を用いて本発明の実施形態について詳細に説明する。
図１は、この発明の実施の形態１における携帯端末の構成を示す図である。この図は、デジタルテレビ放送信号の記録位置の違いを明確にするために、図６より詳細な構成図となっている。
図において、１０１は地上波デジタルテレビ放送信号を受信するチューナであり、チューナ１０１により、特定の放送信号を選択し、１０２の復調部に出力する。復調部１０２はチューナ１０１より選択された放送信号を復調し、ＭＰＥＧ２のトランスポートストリーム（以後、ＴＳと呼ぶ）を出力する。このＭＰＥＧ２のＴＳは、画像はＭＰＥＧ２のＶｉｄｅｏではなく、ＭＰＥＧ４のＶｉｓｕａｌを多重しているＭＰＥＧ２のＴＳで、携帯受信端末用の部分受信に対応した地上波デジタルテレビ放送信号の中にあるＭＰＥＧ２のＴＳである。なお、図６の要素と同一符号は同一又は同等の機能を持つ要素を示し、説明を省略する。
【００１３】
復調部１０２より出力されたＴＳは切換器１０３に入力される。地上波デジタルテレビ放送のみを視聴している時は、復調部１０２より出力されたＴＳを、そのまま３０１のＭＵＸ／ＤＥＭＵＸ（多重化／多重分離部）に出力する。ＭＵＸ／ＤＥＭＵＸ３０１では、入力されたＴＳを画像データと音声データに分離する。分離された画像データは３０２のＶＩＤＥＯ＿ＤＥＣＯＲＤＥＲ（ビデオ・デコーダ、以後、Ｖ＿ＤＥＣと呼ぶ）へ、音声データは３０３のＡＵＤＩＯ＿ＤＥＣＯＲＤＥＲ（オーデオ・デコーダ、以後、Ａ＿ＤＥＣと呼ぶ）へ出力される。Ｖ＿ＤＥＣ３０２は、入力された画像データを復号し画像表示装置（ここでは例えばＬＣＤ）７０１に出力され、画像データが表示される。またＡ＿ＤＥＣ３０３は、入力された音声データを復号し、３０４のＤ／Ａ変換に出力する。Ｄ／Ａ変換３０４では入力されたデジタルデータをアナログデータに変換した後、７０２の音声再生装置（ここでは例えばスピーカ）に出力し、音声を再生する。
【００１４】
通常上記の流れで、地上波デジタルテレビ放送を視聴可能としているが、２０１の無線制御部にテレビ電話もしくは音声電話等の着信信号が伝送されてくると、その旨を６００のシステム制御部に伝える。同時に無線制御部２０１は、受信したテレビ電話もしくは音声電話等の通信信号を、２０２の回線Ｉ／Ｆ部に出力する。回線Ｉ／Ｆ部では、入力された通信信号の画像音声が多重されたデータ（音声電話の場合は音声データのみ）をＭＵＸ／ＤＥＭＵＸ３０１に出力する。ＭＵＸ／ＤＥＭＵＸ３０１では入力された画像音声信号（音声電話の場合は音声データのみ）を画像データと音声データに分離しそれぞれＶ＿ＤＥＣ３０２とＡ＿ＤＥＣ３０３とに出力する（音声電話の場合は音声データのみをＡ＿ＤＥＣ３０３に出力する）。以下の処理は地上波デジタルテレビ放送を視聴する時と同様に行うことで、テレビ電話および音声電話（この場合は画像はなく、装置自己の持つ単一色画像、例えばブルー等）を再生する。
【００１５】
また電話の受信に対応して携帯端末側から送信する画像および音声はそれぞれ、７０３のカメラおよび７０４のマイクにより入力される。画像データは３０５のＶＩＤＥＯ＿ＥＮＣＯＲＤＥＲ（ビデオ・エンコーダ、以後、Ｖ＿ＥＮＣと呼ぶ）でＭＰＥＧ４のＶＩＳＵＡＬに符号化される。音声データは３０６のＡ／Ｄ変換でアナログデータからデジタルデータに変換された後、３０７のＡＵＤＩＯ＿ＥＮＣＯＲＤＥＲ（オーデオ・エンコーダ、以後、Ａ＿ＥＮＣと呼ぶ）で符号化される。各々符号化された画像と音声のデータは、ＭＵＸ／ＤＥＭＵＸ３０１に出力され、多重化される。多重化されたデータは回線Ｉ／Ｆ部２０２、無線制御部２０１を経由し送信される。この様にしてテレビ電話および音声電話の通信が可能となっている。
【００１６】
この時、上記のように、これまで視聴していた地上波デジタルテレビ放送のＭＵＸ／ＤＥＭＵＸ３０１への送信は中断されて、視聴できなくなる。そこで、システム制御部６００は無線制御部２０１より着信信号受信の旨を受けた時、４００の記録再生制御部に地上波デジタルテレビ放送信号の記録を開始するように指示する。
記録再生制御部４００は復調部１０２の後に位置し、切換器１０３に入力するＴＳデータと同じＴＳデータが入力される。記録再生制御部４００の詳細なブロック図を図２に示す。図２において４０１は領域切換器であり、４０２は記録側ＢＵＦＦＥＲ（バッファ、以後、記録側ＢＵＦと呼ぶ）であり、４０３は再生側ＢＵＦＦＥＲ（バッファ、以後、再生側ＢＵＦと呼ぶ）であり、以上で構成されている。記録側ＢＵＦ４０２はデータストレージ部５００に記録するＴＳデータの一時保存する為であり、再生側ＢＵＦ４０３はデータストレージ部５００に記録されている、再生されるＴＳデータの一時保存の為である。
【００１７】
また、データストレージ部５００の詳細は、図２に示すとおりであり、５０１はＴＳデータを保存するデータストレージで、ランダムアクセス可能な不揮発性半導体メモリであり、５０２はデータストレージの読み込みおよび書込みの動作に関わる制御部である。
記録側ＢＵＦ４０２と再生側ＢＵＦ４０３は、それそれの内部で領域を作っておき、領域切換器４０１の指示により、書込むもしくは読み出す領域を変更できるようにしておく。領域は最小２つであり、それ以上の領域に分割しても構わない。また記録側ＢＵＦ４０２と再生側ＢＵＦ４０３は１チップの素子でも個別の素子でもよい。
【００１８】
図３に領域切換のタイミングとデータストレージ部５００の記録側ＢＵＦ４０２からの読出しと再生側ＢＵＦ４０３への書込みのタイミングを示す。領域切換器４０１は、記録側ＢＵＦ４０２に書込まれるＴＳパケット（ＴＳデータを１８８ｂｙｔｅ毎にパケット化したもの）の先頭にある同期バイト（０ｘ４７ｈ）をＨ／ＷもしくはＳ／Ｗのいずれかで読み取り、記録側ＢＵＦ４０２の１つの領域に書込みが完了したタイミングで、記録側ＢＵＦ４０２の記録領域を切換える。その後、記録側ＢＵＦ４０２の新しい領域に、後続のＴＳパケットが同期バイトから書込まれてゆく。領域切換器４０１によって次の領域切換が行われるまでの間に、領域切換前に書込んでいた領域にある、記録されたＴＳパケットを、データストレージ部５００内のデータストレージ５０１に全て読み込ませる。この読み込みは、システム制御部６００より指示を受けたデータストレージ制御部５０２によって行われる。この一連の動作を繰り返し行うことで、地上波デジタル放送信号をデジタルデータのまま記録可能とする。またデータストレージ５０１に記録をする際には、記録したアドレスをシステム制御部６００に対し報告し、システム制御部６００はこのアドレスを、報告を受けた古い順に管理出来る機構をＨ／ＷもしくはＳ／Ｗで備えておく。
【００１９】
データストレージ５０１には、例えば１２８Ｍｂｙｔｅの不揮発性半導体メモリを使用した場合、１２８ｋｂｐｓの画像データと６４ｋｂｐｓの音声データを多重したＴＳデータを記録する場合には、約１時間ほどのＴＳデータが記録可能である。その他、画像データと音声データのビットレートに合わせて記録時間も変化するので、必要な容量の不揮発性半導体メモリを用意する。
テレビ電話および音声電話の通信を終了すると、無線制御部２０１はその旨をシステム制御部６００に伝送する。システム制御部６００はこれを受けると、これまで記録したＴＳデータを再生するため、データストレージ５０１から再生側ＢＵＦ４０３にＴＳデータを書込むようにデータストレージ制御部５０２に指示をする。この時、システム制御部６００は、データストレージ５０１に記録された最も古いＴＳデータを書込むように、データストレージ制御部５０２にアドレス情報も送る。またこの時、前述した記録する動作も継続されている。再生側ＢＵＦ４０３に書込まれたデータは、領域切換器４０１によって、再生側ＢＵＦ４０３の領域が切換わる前に切換器１０３に出力する。
【００２０】
上記の記録と再生が同時に可能となるためには、データストレージ部５００が記録側ＢＵＦ４０２から読み出す時間と再生側ＢＵＦ４０３に書込む時間と、領域切換器４０１が領域を切換えるタイミングが図３に示すような条件を満たす必要があり、その条件に見合う書込み、読出し速度を持つＢＵＦＦＥＲとデータストレージである。図３は、一例であり、領域切換タイミングが信号の立ち上がりでも立ち下がりでもよく、また、データの読み書きの開始が、領域切換タイミングの立下りでも立ち上がりでも構わない。また、領域切換タイミングの間隔にデータの読み書きを行わないアイドル時間をとっても取らなくても構わない。また、領域切換器４０１の領域を切換えるタイミングは、音声画像再生時に途切れのない範囲で行われれば、複数のＴＳパケットを束にしてバースト的なタイミングを取っても、単一のＴＳパケットで連続的なタイミングで行ってもよい。
【００２１】
再生データが切換器１０３に入力されると、システム制御部６００によって、切換器１０３はリアルタイムのＴＳデータではなく、再生データをＭＵＸ／ＤＥＭＵＸ３０１に出力する。ＭＵＸ／ＤＥＭＵＸ３０１に、ＴＳデータが渡された以降の、このＴＳデータの再生方法は上記で述べたリアルタイムのＴＳデータを再生する方法と同じである。切換器１０３は記録再生制御部４００より再生ＴＳデータがこなくなるか、ユーザの要求によって再生ＴＳデータの切換器１０３への入力を停止するようシステム制御部６００から指示があるまで、再生ＴＳデータをＭＵＸ／ＤＥＭＵＸ３０１に渡すこととし、前記条件が成立した時には、リアルタイムＴＳを渡すこととする。切換器１０３は、記録再生制御部４００からくる再生ＴＳデータの同期バイト（０ｘ４７ｈ）をサーチすることで、切換器１０３へＴＳデータの入力の有無を判断できる機構をハードウェアとして備えるか、もしくはソフトウェア・プログラムを組み込んで、システム制御部６００を介して行う方法をとってもよい。
【００２２】
記録している地上波デジタルテレビ放送の番組が終了したら、データストレージ制御部５０２によって記録側ＢＵＦ４０２からのＴＳデータの読み出し動作を停止し、再生側ＢＵＦ４０３への書込みのみを行うことにする。再生データがデータストレージ５０１より全て出力されたら、データストレージ制御部５０２は、再生側ＢＵＦ４０３へのＴＳデータの書込みも停止する。
以上の動作により、地上波デジタルテレビ放送を視聴中にテレビ電話もしくは音声電話等の通信信号により、地上波デジタルテレビ放送の視聴を中断されても、テレビ電話もしくは音声電話等の通信信号の終了後に、中断したところから地上波デジタルテレビ放送の視聴が可能となる。
【００２３】
実施の形態２．
図４は上記実施の形態１の装置に、更にＤＥＭＵＸ（多重分離部）３０８とＶ＿ＤＥＣ３０９と合成・切換処理等部３とＡ＿ＤＥＣ３１０を追加した構成を示す図である。基本的動作は実施の形態１とほぼ同じであるので、主として相違点を中心に説明する。
地上波デジタルテレビ放送信号はチューナ１で受信され、選局後には復調部１０２で復調されＴＳデータを切換器１０３に出力する。切換器１０３はＴＳデータをＤＥＭＵＸ３０８に出力し、ＤＥＭＵＸ３０８で画像データと音声データを分離後、それぞれのデータはＶ＿ＤＥＣ３０９とＡ＿ＤＥＣ３１０に入力され復号化した後、合成・切換処理等部３に入力される。地上波デジタルテレビ放送信号のみを視聴している時は、合成・切換処理等部３に入力された画像データおよび音声のデータは、画像は画像表示装置（例えばここではＬＣＤ）７０１へ、音声はＤ／Ａ変換３０４を経由して音声再生装置（例えばここではスピーカ）７０２へ出力され、音声画像データが再生される。
【００２４】
この時、テレビ電話もしくは音声電話等の着信信号が無線制御部２０１に伝送されてくると、無線制御部２０１はその旨をシステム制御部６００に伝える。通信信号は回線Ｉ／Ｆ２０２、ＭＵＸ／ＤＥＭＵＸ３０１を経由し、ＭＵＸ／ＤＥＭＵＸ３０１にて分離された画像データはＶ＿ＤＥＣ３０２へ、音声データはＡ＿ＤＥＣ３０３へ出力され、各々復号化を行った後、合成・切換処理等部３に入力される。
また、システム制御部６００は、同時に、記録再生制御部４００に記録を開始させる。記録方法については実施の形態１と同様に行う。また、システム制御部６００からの指示により記録作業を止めずに再生を開始させる。再生方法については、これも実施の形態１と同様に行い、再生ＴＳデータは切換器１０３に出力する。
【００２５】
切換器１０３に再生ＴＳデータが入力されると、切換器１０３はＤＥＭＵＸ３０８へ、リアルタイムＴＳデータではなく再生ＴＳデータを出力する。この再生ＴＳデータの切換方法については、実施の形態１と同様に行う。ＤＥＭＵＸ３０８で分割された画像データはＶ＿ＤＥＣ３０９へ、音声データはＡ＿ＤＥＣ３１１に出力され、各々のデータは復号化され、合成・切換処理等部３へ出力される。
合成・切換処理等部３に入力された再生ＴＳデータからの画像データとテレビ電話の通信信号からの画像データは、合成・切換処理等部３内のスキャンコンバータとビデオミキサとマルチウインドウコントローラによって、一画面にて表示できるように処理される。
一方、音声データは、テレビ電話もしくは音声電話の通信信号からの音声のみ、合成・切換処理等部３内の音声レベル調整部によってレベル調整を行う。その後、テレビ電話もしくは音声電話の通信信号からの音声データのみを出力し再生ＴＳデータからの音声は出力しないか、もしくは合成・切換処理等部３内の音声混合装置にて、テレビ電話もしくは音声電話の通信信号からの音声データと再生ＴＳデータの音声データの各音声が適度な音量に調整し混合した後、出力される。
【００２６】
また、合成・切換処理等部３にてテレビ電話及び音声電話の通信信号からの画像データと音声データのみを、出力してもよい。この時は、データストレージ制御部５０２よりデータストレージ５０１から再生側ＢＵＦ４０３への書込みを停止しておき、テレビ電話および音声電話等の通信の終了後、データストレージ制御部５０２よりデータストレージ５０１から再生側ＢＵＦ４０３への書込みが開始され、データストレージ５０１にて記録されたＴＳデータを切換器１０３へ出力する。この動作は、実施の形態１の動作と同様である。
合成・切換処理等部３より出力された画像データおよび音声データは、画像は画像表示装置（例えばここではＬＣＤ）７０１へ、音声はＤ／Ａ変換３０４を経由してスピーカ７０２へ出力され、音声画像データが再生される。
【００２７】
テレビ電話および音声電話の通信が終了したら、合成・切換処理等部３は地上波デジタルテレビ放送信号の再生ＴＳデータからのみの画像データおよび画像データを、画像データは画像表示装置７０１へ、音声データはＤ／Ａ変換３０４を経由して音声再生装置７０２へ出力され、音声画像データが再生される。
以上の動作により、地上波デジタルテレビ放送を視聴中にテレビ電話もしくは音声電話等の通信が生じても、地上波デジタルテレビ放送の視聴を継続しながら、テレビ電話もしくは音声電話等の通信を行うことが可能である。また、地上波デジタルテレビ放送の視聴を一旦中断し、通信の終了後に、中断したところから地上波デジタルテレビ放送の視聴も可能となる。
【００２８】
上記実施の形態では、音声電話時も、通信データをＭＵＸ／ＤＥＭＵＸ３０１経由で送受信しているが、テレビ電話でなければ実際には音声通話通信データには音声データしかない。従って図５に示すとおり、音声通話時は、システム制御部６００のバイパス設定により、回線Ｉ／Ｆ２０２から音声データをＭＵＸ／ＤＥＭＵＸ３０１を経由せずに、直接Ａ＿ＤＥＣ３０３に出力して、Ａ＿ＥＣＮ３０７から音声データをＭＵＸ／ＤＥＭＵＸ３０１を経由せずに、直接回線Ｉ／Ｆ２０２に出力するといった構成をとっても、音声通話は可能になる。この場合はＭＵＸ／ＤＥＭＵＸ３０１は、地上波デジタルテレビ放送のＴＳデータの出力分配を行うことが出来るので、音声通話を行いながら、地上波デジタルテレビ放送の画像を見ることが出来る。
以上の動作により、実施の形態２のようにＤＥＭＵＸ３０８、Ｖ＿ＤＥＣ３０９、Ａ＿ＤＥＣ３１０、合成・切換処理部３を設けることなく音声電話通信を行いながら地上波デジタルテレビ放送を見ることが可能となる。
【００２９】
なお、上記実施の形態では、データストレージを不揮発性の半導体メモリとしている。現在使用可能な不揮発性の半導体メモリとしては、基板に実装する固定型のものだけでなく、可般型のカードタイプのもの、例えばマルチメディアカードやコンパクトフラッシュ（登録商標）、ＳＤカード、メモリスティックといったものを使用できる。こうすることで、データストレージの容量を使用者の目的に応じて容量の大きいものや小さいものに変更することが可能である。こうすれば、使用者は適当なコストのメモリを使用することが可能になる。例えば実施の形態２では、地上波デジタルテレビ放送とテレビ電話もしくは音声電話等の通信を同時に行う場合、テレビ電話もしくは音声電話が着信した直後に、一時的に地上波デジタルテレビ放送が中断するだけで、以後は地上波デジタルテレビ放送とテレビ電話もしくは音声電話（このときは着信を知らせるだけで画像はデータに含まれていない）各々の符号化されたデータを、合成・切換処理部で合成して同時に再生するため、長時間の地上波デジタルテレビ放送の記録は必要ではない。従ってこのような場合は、容量の少ない可般型カードタイプの不揮発性半導体メモリを使用すればよい。
実施の形態１においては、地上波デジタルテレビ放送とテレビ電話もしくは音声電話の同時表示が出来ないので、テレビ電話もしくは音声電話の通信終了後に、記録した地上波デジタルテレビ放送のデータを再生する為、長い時間の地上波デジタルテレビ放送の記録が必要になる。従ってこの場合は容量の大きい可般型カードタイプの不揮発性半導体メモリを使用すればよい。また、可般型カードタイプの不揮発性半導体メモリを使用することで、端末から記録したデータの取り出しをも、カードの挿抜により容易に行える。
【００３０】
【発明の効果】
以上のように、この発明によれば、デジタルテレビ放送信号の記録をデジタル信号（ＴＳ信号）で記録再生することにより、記録するデータ量を大幅に削減でき、小容量、小型のデータストレージにて長時間の音声画像データを記録でき、通話中にも携帯端末でデジタルテレビを録画し、後に再生できる効果がある。
【００３１】
また更に、バイパス路を備えたので、音声通話中にもテレビ受像ができる効果がある。
デジタルテレビ放送信号をデジタル信号（ＴＳ信号）で記録しながら再生できる制御を設けたことにより、テレビ電話や音声電話の通信とデジタルテレビ放送の視聴を同時に行う時に、デジタルテレビ放送の内容の一部も欠くことなく視聴できるという効果が得られる。
【００３２】
また更に、複数の多重分離部を備えたので、テレビ電話中でもテレビ放送の受像ができる効果がある。
【図面の簡単な説明】
【図１】  この発明の実施の形態１におけるデジタル放送記録再生機能付携帯端末の構成を示す図である。
【図２】  実施の形態１および２における記録再生制御部とデータストレージ部の詳細構成図である。
【図３】  実施の形態１および２における記録再生制御部内記録側ＢＵＦ及び再生側ＢＵＦと領域切換器とデータストレージ間の読出し書込みのタイミングを示す図である。
【図４】  この発明の実施の形態２におけるデジタル放送記録再生機能付携帯端末の構成を示す図である。
【図５】  実施の形態２における他のデジタル放送記録再生機能付携帯端末の構成を示す図である。
【図６】  従来のテレビ放送信号が記録可能なテレビ放送視聴機能付テレビ電話装置の構成図である。
【符号の説明】
１  テレビ受信装置、２  テレビ電話装置、３  合成・切換処理等部、４  記録制御部、５  音声画像記録装置、６  着信検出部、７  音声画像入出力部、１０１  チューナ、１０２  復調部、１０３  切換器、２０１  無線制御部、２０２  回線Ｉ／Ｆ部、３０１  ＭＵＸ／ＤＥＭＵＸ、３０２  ＶＩＤＥＯ＿ＤＥＣＯＲＤＥＲ、３０３  ＡＵＤＩＯ＿ＤＥＣＯＲＤＥＲ、３０４  Ｄ／Ａ変換器、３０５  ＶＩＤＥＯ＿ＥＮＣＯＲＤＥＲ、３０６  Ａ／Ｄ変換器、３０７  ＡＵＤＩＯ＿ＥＮＣＯＲＤＥＲ、３０８  ＤＥＭＵＸ、３０９  ＶＩＤＥＯ＿ＤＥＣＯＲＤＥＲ、３１０  ＡＵＤＩＯ＿ＤＥＣＯＲＤＥＲ、４００  記録再生処理部、４０１  領域切換器、４０２  記録側ＢＵＦＦＥＲ、４０３  再生側ＢＵＦＦＥＲ、５００  データストレージ部、５０１  データストレージ、５０２  データストレージ制御部、６００  システム制御部、７０１  ＬＣＤ、７０２  スピーカ、７０３  カメラ、７０４  マイク。
【図１】
0004137520.tif 000002
【図２】
0004137520.tif 000003
【図３】
0004137520.tif 000004
【図４】
0004137520.tif 000005
【図５】
0004137520.tif 000006
【図６】
0004137520.tif 000007